【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
負荷に調整済ＤＣ出力を供給するべくスイッチング周波数において動作する多相出力レギュレータを制御するための制御システムであって、
前記多相出力レギュレータは、別個に制御可能な出力位相を入力源から生成する少なくとも２つのスイッチ・アレイを備え、前記出力位相は結合して調整済ＤＣ出力を形成し、
前記制御システムは、調整済出力に対応する検出信号に応答して、サンプリング周波数において動作可能なデジタル・コントローラを備え、
前記デジタル・コントローラは、各スイッチ・アレイを制御して出力位相を生成するための駆動信号を生成し、前記サンプリング周波数において前記駆動信号を制御し、前記負荷の変化に応じて動的に前記出力位相の数量Ｎを決定するとともに各出力位相間の位相間隔を設定する制御システム。
【請求項２】
負荷に調整済ＤＣ出力を供給するべくスイッチング周波数において動作する多相出力レギュレータを制御するための制御システムであって、
前記多相出力レギュレータは、別個に制御可能な出力位相を入力源から生成する少なくとも２つのスイッチ・アレイを備え、前記出力位相は結合して調整済ＤＣ出力を形成し、
前記制御システムは、調整済出力に対応する検出信号に応答して、サンプリング周波数において動作可能なデジタル・コントローラを備え、
前記デジタル・コントローラは、各スイッチ・アレイを制御して出力位相を生成するための所定の負荷サイクルを有する駆動信号を生成し、前記サンプリング周波数において前記駆動信号を制御し、前記負荷が変化する間に動的に前記出力位相の数量Ｎを決定するとともに、前記負荷サイクルとは別個に各出力位相間の位相間隔を設定する制御システム。
【請求項３】
前記デジタル・コントローラが、
前記駆動信号の負荷サイクルを決定する負荷サイクル・コントローラと、
前記負荷サイクルおよび位相間隔の関数として駆動信号を生成するスイッチ・コントローラと
を備える請求項１に記載の制御システム。
【請求項４】
前記デジタル・コントローラが、レギュレータ基準に基づいて、イネーブルにすべきスイッチ・アレイの数量を制御する請求項１に記載の制御システム。
【請求項５】
前記レギュレータ基準が、出力電流、複数のスイッチ・アレイのうちの任意のスイッチ・アレイ用のパワー・スイッチ電流、出力インダクタ電流、出力電圧、出力リップル電圧、入力電圧、ノイズ発生、ディスクリート部品における電力消費、回路における電力消費、または多相出力レギュレータにおける電力消費からなる群から選択される請求項４に記載の制御システム。
【請求項６】
前記デジタル・コントローラが、イネーブルにすべきスイッチ・アレイの数量を決定する請求項１に記載の制御システム。
【請求項７】
前記多相出力レギュレータが、出力位相をフィルタするために各スイッチ・アレイに対応する出力フィルタを更に備え、
前記デジタル・コントローラが、スイッチ・アレイをターン・オンの間に制御して、出力フィルタを流れる電流を初期化する
請求項１に記載の制御システム。
【請求項８】
前記サンプリング周波数が前記スイッチング周波数よりも大きい請求項１に記載の制御システム。
【請求項９】
前記駆動信号がパルス幅を有し、前記サンプリング周波数が対応するクロック周期を有し、
前記デジタル・コントローラが、前記駆動信号をディザリングしてパルス幅をクロック周期の何分の一かだけ延ばすように動作可能である請求項１に記載の制御システム。
【請求項１０】
調整済ＤＣ出力を生成するための多相出力レギュレータであって、
請求項１に記載の制御システムを備え、
前記多相出力レギュレータが、
スイッチング周波数において動作して、別個に制御可能な出力位相を入力源から生成し、出力位相は結合して調整済ＤＣ出力を形成する、少なくとも２つのスイッチ・アレイと、
出力位相をフィルタする出力フィルタと
を更に備える、多相出力レギュレータ。
【請求項１１】
前記調整済出力が、出力電圧、出力電流、および出力電力からなる群から選択される請求項１０に記載の多相出力レギュレータ。
【請求項１２】
前記デジタル・コントローラが、電圧モードおよび電流モードからなる群から選択される制御モードを含む請求項１０に記載の多相出力レギュレータ。
【請求項１３】
各スイッチ・アレイが、入力源からの電力を出力位相の１つに変換する少なくとも２つのパワー・スイッチを含む請求項１０に記載の多相出力レギュレータ。
【請求項１４】
各スイッチ・アレイが、スイッチ・アレイを流れる電流を検出する電流検出回路を備え、
駆動信号が、スイッチ・アレイを流れる電流の関数として制御される
請求項１０に記載の多相出力レギュレータ。
【請求項１５】
負荷に調整済ＤＣ出力を供給するべくスイッチング周波数において動作する多相出力レギュレータを制御するための制御システムであって、
前記多相出力レギュレータは、別個に制御可能な出力位相を入力源から生成する少なくとも２つのスイッチ・アレイを備え、出力位相は結合して調整済ＤＣ出力を形成し、
前記制御システムは、調整済出力に対応する検出信号に応答するコントローラを備え、
前記コントローラが、生成すべき出力位相の数量を決定するとともに、各スイッチ・アレイを制御して出力位相を生成するための駆動信号を生成し、
前記駆動信号は、立ち上がりエッジおよび立ち下がりエッジを有するパルスを含み、
前記コントローラは更に、前記駆動信号の立ち上がりエッジおよび立ち下がりエッジの一方を制御して前記負荷の変化に応じて動的に各出力位相間の位相間隔を設定し、駆動信号の立ち上がりエッジおよび立ち下がりエッジの他方を制御して調整済出力を調整する、
制御システム。
【請求項１６】
負荷に調整済ＤＣ出力を供給するべくスイッチング周波数において動作する多相出力レギュレータを制御するための制御システムであって、
前記多相出力レギュレータは、別個に制御可能な出力位相を入力源から生成する少なくとも２つのスイッチ・アレイを備え、出力位相は結合して調整済ＤＣ出力を形成し、
前記制御システムは、調整済出力に対応する検出信号に応答するコントローラを備え、
前記コントローラが、生成すべき出力位相の数量を決定するとともに、各スイッチ・アレイを制御して出力位相を生成するための所定の負荷サイクルを有する駆動信号を生成し、
前記駆動信号は、立ち上がりエッジおよび立ち下がりエッジを有するパルスを含み、
前記コントローラは更に、前記駆動信号の立ち上がりエッジおよび立ち下がりエッジの一方を制御して前記負荷の変化に応じて動的に、前記負荷サイクルとは別個に各出力位相間の位相間隔を設定し、駆動信号の立ち上がりエッジおよび立ち下がりエッジの他方を制御して調整済出力を調整する、
制御システム。
【請求項１７】
前記コントローラが、
前記駆動信号の負荷サイクルを決定する負荷サイクル・コントローラと、
負荷サイクルおよび位相間隔の関数として駆動信号を生成するスイッチ・コントローラと
を備える請求項１５に記載の制御システム。
【請求項１８】
前記コントローラが、レギュレータ基準に基づいて、イネーブルにすべきスイッチ・アレイの数量を制御する請求項１５に記載の制御システム。
【請求項１９】
レギュレータ基準が、出力電流、複数のスイッチ・アレイのうちの任意のスイッチ・アレイ用のパワー・スイッチ電流、出力インダクタ電流、出力電圧、出力リップル電圧、入力電圧、ノイズ発生、ディスクリート部品における電力消費、回路における電力消費、または多相出力レギュレータにおける電力消費からなる群から選択される請求項１８に記載の制御システム。
【請求項２０】
前記コントローラが、イネーブルにすべきスイッチ・アレイの数量を決定する請求項１５に記載の制御システム。
【請求項２１】
前記多相出力レギュレータが、出力位相をフィルタするために各スイッチ・アレイに対応する出力フィルタを更に備え、
前記コントローラが、スイッチ・アレイをターン・オンの間に制御して、出力フィルタを流れる電流を初期化する
請求項１５に記載の制御システム。
【請求項２２】
調整済ＤＣ出力を生成するための多相出力レギュレータであって、
請求項１５に記載の制御システムを備え、
スイッチング周波数において動作して、別個に制御可能な出力位相を入力源から生成し、出力位相は結合して調整済ＤＣ出力を形成する、少なくとも２つのスイッチ・アレイと、
出力位相をフィルタする出力フィルタと
を更に備える、多相出力レギュレータ。